(57)【要約】【課題】たとえば装置前面に多数のコネクタを配置する装置のごとく、装置前面に吸気口を大きく確保し難い装置において、効率良く前面より吸気した冷却用空気を装置背面より排気する冷却機構を実現する。【解決手段】前記の装置内部で、装置前面に設けた吸気口において冷却の対象とする発熱部品に冷却空気流を吹き付けるプッシュ型ファンを設け、前記の吸気口より吸い込む空気流を増大させるとともに、当該装置内部で冷却用空気流を誘導する気流誘導路を形成させる。【選択図】　　　　　　図１
2004014825.tif 000002
【特許請求の範囲】
【請求項１】
装置前面に吸気口を設け、装置背面にプル型ファンを配した排気口を設けた電子装置の冷却機構において、
装置内部にプッシュ型ファンと、前記のプッシュ型ファンにより発生する内部気流を発熱部位に誘導する気流誘導路とを配したことを特徴とする、
電子装置の冷却機構。
【請求項２】
前記の電子装置の冷却機構において、
前記の装置前面に設けた吸気口とともに装置側面に予備の吸気口を設け、必要時に前記の装置側面に設けた予備の吸気口を開口することを特徴とする、
請求項１に記載の、電子装置の冷却機構。
【発明の詳細な説明】
【０００１】
【発明の属する技術分野】
この発明は、たとえば装置前面に多数のコネクタを配置する装置のごとく、装置前面に吸気口を大きく確保し難い装置において、効率良く前面より吸気した冷却用空気を装置背面より排気する冷却機構を実現する技術に関するものである。
【０００２】
【従来の技術】
ここで、この発明にかかる以下に示す用語のここで適用する定義とその技術的な背景とを述べて、その内包する概念を明確にする。
【０００３】
プッシュ型ファンおよびプル型ファンは、ここではいずれもファンの用途を規定する概念であり、ファンそのものの形式あるいは形状を規定する概念ではない。すなわち前者のプッシュ型ファンは当該ファンにより発生する風量を対象物に吹き付ける動作に用いるファンをいい、当該ファンにより発生する陽圧を使用するものである。これに対して後者のプル型ファンは、当該ファンにより発生する陰圧を使用して排気等に適用するものである。
【０００４】
たとえば装置前面に多数のコネクタを配置して接続をはかる装置のごとく、装置の大型化を伴なわない限り装置前面側に吸気口を大きく確保し難い装置では、当該装置の左右の両側面に吸気口および排気口を設けて空気の流れを強制的に当該装置の中を通過させ、前記の装置に内蔵する発熱体より発する熱を効率良く冷却する手法が取られてきた。
【０００５】
図４および図５に基づいて、従来の技術による装置の冷却機構を説明する。
【０００６】
図４は、従来の技術による電子装置の主な構成を示すものである。すなわち当該電子装置５０の外筐を構成する筐体構造５１には複数枚数のプリント板ユニット５４が収納され、前記のプリント板ユニット５４のそれぞれに搭載されたコネクタ（図示せず）は装置前面に露出して、外部からの接続の用途に供せられる。
【０００７】
したがって、当該電子装置５０では装置前面に吸気口を設ける領域が限定されるので、通常は装置側面（図の例では右側側面）に吸気口を設け、対向する側面（図の例では左側側面）に排気口を設ける。
【０００８】
また前記の筐体構造５１においてプリント板ユニット５４近傍の側面にはプル型ファン５３を配し、前記のプリント板ユニット５４に搭載する電子部品より発する熱を含んだ空気流を当該電子装置５０より外部に排出する。
【０００９】
また当該電子装置５０には、電源装置等の組み込みユニット５５が組み込まれる。前記の組み込みユニット５５は、後述するごとく、独自に吸気口および排気口を備えて空気の流れを強制的に当該組み込みユニット５５の中を通過させ、内蔵する発熱体の冷却をはかる。
【００１０】
図５は、前記の図４に示した電子装置５０内部の冷却に供する空気の流れの概略を示すものである。
【００１１】
当該電子装置５０に収納されるプリント板ユニット５４は、それぞれに連結ボードユニット５４ａによりその端面を固定され、前記のそれぞれのプリント板ユニット５４に搭載するコネクタ５４ｂを当該電子装置５０の前面に露出させるとともに当該コネクタ５４ｂを介して固定する。
【００１２】
また筐体構造５１は、その右側面に吸気口５１ａを配し、左側面に配した排気口（図示せず）にはプル型ファン５３を配する。
【００１３】
前記のプル型ファン５３により発生した当該電子装置５０内の陰圧により吸気口５１ａから引き込まれた空気流は、それぞれのプリント板ユニット５４より構成する板間を通って前記のそれぞれのプリント板ユニット５４に搭載する電子部品より発する熱量を奪い取り、温められた空気となって前記のプル型ファン５３により装置外に排出される。
【００１４】
また組み込みユニット５５に内蔵するプル型ファン５５ｂにより発生した前記の組み込みユニット５５内の陰圧は前記の吸気口５１ａから引き込まれた空気流の一部を吸気口５５ａから引き込み、前記の空気流により当該組み込みユニット５５内に組み込まれた電子部品より発する熱量を奪い取らせて温められた空気を前記のプル型ファン５５ｂにより装置外に排出する。
【００１５】
【発明が解決しようとする課題】
前記のごとく側面に設けた吸気口より吸気した空気流を反対側の側面に排出する冷却機構を備えた電子装置は、内蔵する電子部品より発生する熱量を効率良く排出する機構といえるが、装置側面より吸気および排気を行なうという点で、次に示すような問題点がある。
【００１６】
当該電子装置を独立して使用する場合には特別な問題点を見出すことはないが、たとえば他の装置あるいは機器と併置して配置する場合、側面の吸気口および排気口を塞がないように配置して装置内の温度の異常上昇を避けなければならない。
【００１７】
前記の配置と同様に電子装置の排気が隣接して配置する電子装置の吸気とならないような配慮が必要である。
【００１８】
また多数個数の同種の装置をラック等に収納するような場合には、相互の装置より排出される空気がラック内を循環するなど、従来の技術による側面より吸気および排気する冷却機構を装備する電子装置では熱的に不適当な状態を構成する危険がある。
【００１９】
これより、前面に吸気口に要する領域を多く取れないような電子装置において、装置が大きくなることを抑制しながら、装置前面より吸気し装置背面より排気する冷却機構を装備させることを、この発明が解決しようとする課題とする。
【００２０】
【課題を解決するための手段】
前記の問題点を解決するために、この発明では次に示す手段を取った。
【００２１】
電子装置の装置前面に吸気口を配し、前記の吸気口の近傍で冷却対象物に近接してプッシュ型ファンを配置する。
【００２２】
前記の電子装置内部では冷却に供する空気の流れを発熱部位に誘導する気流誘導路を構成させるとともに、排気口にはプル型ファンを配する。
【００２３】
これらの手段を取ることによって、当該電子装置は装置の大型化を抑制しながら、装置前面より吸気し装置背面より排気する冷却機構を装備するという作用を得る。
【００２４】
【発明の実施の形態】
この発明は、次に示すような形態を取る。
【００２５】
装置前面に吸気口を設け、装置背面にプル型ファンを配した排気口を設けた電子装置の冷却機構において、装置内部にプッシュ型ファンと、前記のプッシュ型ファンにより発生する内部気流を発熱部位に誘導する気流誘導路とを配する。
【００２６】
この形態を取ることによって、当該電子装置はプッシュ型ファンにより発生する陰圧により吸気口から冷却用空気流を引き込み、同時に前記のプッシュ型ファンにより発生する陽圧により発生する空気流を気流誘導路により発熱部位に導き、さらにプル型ファンによって排気する冷却機構を構成するという作用を得る。
【００２７】
前記の電子装置の冷却機構において、前記の装置前面に設けた吸気口とともに装置側面に予備の吸気口を設け、必要時に前記の装置側面に設けた予備の吸気口を開口する。
【００２８】
この形態を取ることによって、当該電子装置は切り替え可能な吸気口を設けた冷却機構を装備するという作用を得る。
【００２９】
【実施例】
図１ないし図３に基づいて、この発明の代表的な実施例を説明する。
【００３０】
図１は、この発明の代表的な実施例を適用した電子装置の冷却機構を構成する主な要素を示すものである。すなわち当該電子装置１０の外筐を構成する筐体構造１１には複数枚数のプリント板ユニット１４が収納され、前記の複数枚数のプリント板ユニット１４のそれぞれに搭載されたコネクタ（図示せず）は当該電子装置１０の前面の露出して、外部からの接続の用途に供せられる。
【００３１】
前記の複数枚数のプリント板ユニット１４の側面の近傍にはプッシュ型ファン１２を配し、前記のプッシュ型ファン１２による空気流は前記の複数枚数のプリント板ユニット１４により形成されるそれぞれの隙間へ吹き付けられる。
【００３２】
また前記の筐体構造１１の背面にはプル型ファン１３を配し、当該電子装置１０の内部より空気流を排出する。
【００３３】
さらに当該電子装置１０には、電源装置等の組み込みユニット１５が組み込まれる。前記の組み込みユニット１５は、後述するごとく、独自に吸気口および排気口を備えて空気の流れを強制的に当該組み込みユニット１５の中を通過させ、内蔵する発熱体の冷却をはかる。
【００３４】
図２は、前記の図１に示した電子装置１０内部の冷却に供する空気の流れの概略を示すものである。
【００３５】
電子装置１０に収納されるプリント板ユニット１４は、それぞれに連結ボードユニット１４ａによりその端面を固定され、前記のそれぞれのプリント板ユニット１４に搭載するコネクタ１４ｂを当該電子装置１０の前面に露出させるとともに当該コネクタを介してそれぞれのプリント板ユニット１４の固定される位置を確定する。
【００３６】
当該電子装置１０前面に、吸気口１１ａを設ける。前記の吸気口１１ａは前記のコネクタ１４ｂを露出させる領域を避けて設けるため、その開口する領域は限定されたものとなるが、内部の近傍に設けるプッシュ型ファン１２により発生する陰圧により吸気口１１ａを通過する気流の速度が高められるので、前記の限定された開口面積による吸気口１１ａでもプッシュ型ファン１２を持つことにより必要な空気量を効率良く取り込むことが可能となる。
【００３７】
前記のプッシュ型ファン１２が吹き付ける空気流は、それぞれのプリント板ユニット１４の間を通過して前記のプリント板ユニット１４に搭載する電子部品の発する熱量を奪い取って冷却し、当該電子装置１０の背面に備えるプル型ファン１３が形成する陰圧に導かれて前記のプリント板ユニット１４の間より装置背面に回り込み、前記のプル型ファン１３により排気される。
【００３８】
前記のプリント板ユニット１４の間を通過する空気流は、それぞれに並列する２枚のプリント板ユニット１４と、筐体構造１１の前面カバー部と、前記のプリント板ユニット１４を固定する連結ボードユニット１４ａとによって形成された空間を通路として流動する。
【００３９】
前記の空気流が流動する通路を形成する連結ボードユニット１４ａの一部に開口部を設けることによって、前記の通路を流動する空気流は分流を形成して組み込みユニット１５に備える吸気口１５ａにいたる。
【００４０】
前記の組み込みユニット１５は内蔵するプル型ファン１５ｂにより装置外に排気が行なわれるのでその内部は陰圧となり、吸気口１５ａ近傍の空気は吸気口１５ａを介して前記の組み込みユニット１５内に流れ込み、ユニット内に搭載する発熱する電子部品を冷却する。
【００４１】
図３はこの発明の別の代表的な実施例に基づくものであり、前記の図２に示した構成に追加して、当該電子装置１０の側面に解放自在な吸気口１１ｂを設けるものである。
【００４２】
すなわち前記の吸気口１１ｂを設けることにより、さらに十分な開口部を確保することが可能となり、当該電子装置１０に取り込む冷却用の空気流を容易に増量することが可能となる。
【００４３】
すなわち、電子装置１０の設置条件として側面方向の空間に余裕を持つ場合には前記の吸気口１１ｂを解放することによって確実な装置内の冷却が実行できる。
【００４４】
なお、当該電子装置１０の設置条件として側面方向に隣接する他の電子装置の排気口がある場合、必要に応じてあらかじめ用意する遮蔽板等により前記の吸気口１１ｂを塞ぐことで吸気口は装置前面に備えた吸気口１１ａに限定され、前記の図２に示した実施例と同等に隣接する電子装置の排気する温風を吸い込むことがない。
【００４５】
【発明の効果】
この発明により、以下に示すような効果が期待できる。
【００４６】
装置前面に吸気口を設け、装置背面にプル型ファンを配した排気口を設けた電子装置の冷却機構において、装置内部にプッシュ型ファンと、前記のプッシュ型ファンにより発生する内部気流を発熱部位に誘導する気流誘導路とを配する。
【００４７】
この手段を取ることによって、当該電子装置はプッシュ型ファンにより発生する陰圧により吸気口から冷却用空気流を引き込み、同時に前記のプッシュ型ファンにより発生する陽圧により発生する空気流を気流誘導路により発熱部位に導き、さらにプル型ファンによって排気する冷却機構を構成するので、装置前面における限られた領域に設けた吸気口からでも冷却に必要な空気流を装置内に取り込み、冷却の必要な箇所に誘導する冷却機構を構成するという効果を得る。
【００４８】
前記の電子装置の冷却機構において、前記の装置前面に設けた吸気口とともに装置側面に予備の吸気口を設け、必要時に前記の装置側面に設けた予備の吸気口を開口する。
【００４９】
この手段を取ることによって、当該電子装置は切り替え可能な吸気口を設けた冷却機構を装備することで、必要時に装置側面に設けた予備の吸気口より潤沢な冷却用の空気流を獲得するという効果を得る。
【図面の簡単な説明】
【図１】この発明の代表的な実施例による原理説明図。
【図２】この発明の代表的な実施例による原理説明図。
【図３】この発明の代表的な実施例による原理説明図。
【図４】従来の技術による原理説明図。
【図５】従来の技術による原理説明図。
【符号の説明】
１０：電子装置
１１：筐体構造
１１ａ、１１ｂ：吸気口
１２：プッシュ型ファン
１３：プル型ファン
１４：プリント板ユニット
１４ａ：連結ボードユニット
１４ｂ：コネクタ
１５：組み込みユニット
１５ａ：吸気口
１５ｂ：プル型ファン
【図１】
2004014825.tif 000003
【図２】
2004014825.tif 000004
【図３】
2004014825.tif 000005
【図４】
2004014825.tif 000006
【図５】
2004014825.tif 000007